【手続補正書】
【提出日】平成25年12月20日(2013.12.20)
【手続補正１】
【補正対象書類名】明細書
【補正対象項目名】０１４１
【補正方法】変更
【補正の内容】
【０１４１】
【表１】
2013516515.tif 000001
本願発明に関連する発明の実施形態について以下に列挙する。
[実施形態１]
次式：
Ｒ４Ｒ５Ｒ６Ｓｉ−Ｇ−ＮＲ７−（ＣＯ）（ＣＯ）−｛−［−ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ−
［−Ｒ３Ｎ−Ｚ−ＮＲ３（ＣＯ）（ＣＯ）−］ｑ−｝ｒ−ＮＲ７−Ｇ−ＳｉＲ４Ｒ５Ｒ６
（式中、各Ｒ１は独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
各Ｒ３は水素又はアルキル、あるいはＲ３は結合しているＺ及び窒素と合わせて複素環基を形成し；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｑは０以上の整数であり；並びに
ｒは１以上の整数である）を含む反応性化合物。
[実施形態２]
各Ｒ１がメチルである、実施形態１に記載の反応性化合物。
[実施形態３]
Ｙが、１〜４個の炭素原子を有するアルキレンである、実施形態１に記載の反応性化合物。
[実施形態４]
ｎが少なくとも４０である、実施形態１に記載の反応性化合物。
[実施形態５]
Ｒ４、Ｒ５、Ｒ６が同一である、実施形態１に記載の反応性化合物。
[実施形態６]
Ｒ４、Ｒ５、Ｒ６が１〜６個の炭素原子を有するアルコキシ基を含む、実施形態７に記載の反応性化合物。
[実施形態７]
反応性化合物の製造方法であって、
次式：
【化１】
2013516515.tif 000002
（式中、各Ｒ１は独立して、アルキル、ハロアルキル、アラルキル、アルケニル、アリール、又は、アルキル、アルコキシ、若しくはハロで置換されたアリールであり；
各Ｒ２は独立して、アルキル、ハロアルキル、アリール、又は、アルキル、
アルコキシ、ハロ、アルコキシカルボニル、若しくは式−Ｎ＝ＣＲ８Ｒ９（式中、Ｒ８は水素、アルキル、アラルキル、置換アラルキル、アリール、若しくは置換アリールであり、
Ｒ９はアルキル、アラルキル、置換アラルキル、アリール、若しくは置換アリールである）のイミノで置換されたアリールであり；
各Ｙは、独立して、アルキレン、アラルキレン、又はこれらの組み合わせであり；
ｎは、独立して、０〜１５００の整数であり；及び、
ｐは１以上の整数である）の化合物と、
式Ｒ７ＨＮ−Ｇ−ＳｉＲ４Ｒ５Ｒ６
（式中、Ｇは１〜１０個の炭素原子を有するアルキレン又はアラルキレン基；及び
Ｒ７は水素又はアルキル、あるいはＲ７基は結合しているＧ及び窒素両方と合わせて複素環基を形成し；及び
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基である）のアミンを、反応条件下で合わせて混合する工程を含む、反応性化合物の製造方法。
[実施形態８]
Ｒ７が水素である、実施形態７に記載の方法。
[実施形態９]
前記方法が、式Ｒ２ＯＨの反応副生成物を前記共重合体から除去することを更に含む、実施形態７に記載の方法。
[実施形態１０]
ポリマーであって、
次式：
Ｒ４Ｒ５Ｒ６Ｓｉ−Ｇ−ＮＲ７−（ＣＯ）（ＣＯ）−｛−［−ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ−
［−Ｒ３Ｎ−Ｚ−ＮＲ３（ＣＯ）（ＣＯ）−］ｑ−｝ｒ−ＮＲ７−Ｇ−ＳｉＲ４Ｒ５Ｒ６
（式中、各Ｒ１は、独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
各Ｒ３は水素又はアルキル、あるいはＲ３は結合しているＺ及び窒素と合わせて複素環基を形成し；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｑは０以上の整数であり；並びに
ｒは１以上の整数である）の反応性化合物と、
水と、を含む反応混合物の反応生成物を含む、ポリマー。
[実施形態１１]
前記反応性化合物において、ｎが少なくとも４０である、実施形態１０に記載のポリマー。
[実施形態１２]
Ｒ４、Ｒ５、及びＲ６が１〜６個の炭素原子を有するアルコキシ基を含む、実施形態１０に記載のポリマー。
[実施形態１３]
水が、環境湿度を含む、実施形態１０に記載のポリマー。
[実施形態１４]
前記反応混合物が更に、水分硬化性触媒を含む、実施形態１０に記載のポリマー。
[実施形態１５]
前記水分硬化性触媒が、酸、無水物、有機スズ化合物、三級アミン、又はこれらの組み合わせを含む、実施形態１４に記載のポリマー。
[実施形態１６]
前記ポリマーが剥離材料を含む、実施形態１０に記載のポリマー。
[実施形態１７]
粘着付与樹脂を更に含んで感圧性接着剤を形成する、実施形態１０に記載のポリマー。
[実施形態１８]
架橋剤を更に含む、実施形態１０に記載のポリマー。
[実施形態１９]
前記架橋剤が、多官能性アルコキシシラン、シリカナノ粒子、又は表面上に複数のヒドロキシル基を含むナノ粒子を含む、実施形態１８に記載のポリマー。
[実施形態２０]
物品であって、
基材と、
前記基材上のポリマー層と、を含み、前記ポリマーが、
次式：
Ｒ４Ｒ５Ｒ６Ｓｉ−Ｇ−ＮＲ７−（ＣＯ）（ＣＯ）−｛−［−ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ−
［−Ｒ３Ｎ−Ｚ−ＮＲ３（ＣＯ）（ＣＯ）−］ｑ−｝ｒ−ＮＲ７−Ｇ−ＳｉＲ４Ｒ５Ｒ６
（式中、各Ｒ１は独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
各Ｒ３は水素又はアルキル、あるいはＲ３は結合しているＺ及び窒素と合わせて複素環基を形成し；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｑは０以上の整数であり；並びに
ｒは１以上の整数である）の反応性化合物と、
水、とを含む反応混合物の反応生成物を含む、物品。
[実施形態２１]
前記ポリマーが、剥離材料を含む、実施形態２０に記載の物品。
[実施形態２２]
前記基材が、フィルム、プレート、光学デバイス、又は鋭利な刃を備える切断器具の表面を含む、実施形態２１に記載の物品。
[実施形態２３]
前記切断器具が、はさみ、ナイフ、機械ブレード、又はのこぎりを含む、実施形態２２に記載の物品。
[実施形態２４]
前記ポリマー層が更に、粘着付与樹脂を含む、実施形態２０に記載の物品。
[実施形態２５]
前記基材が、フィルム、プレート、テープ裏材、又は剥離ライナーを含む、実施形態２４に記載の物品。
【手続補正２】
【補正対象書類名】特許請求の範囲
【補正対象項目名】全文
【補正方法】変更
【補正の内容】
【特許請求の範囲】
【請求項１】
次式：
Ｒ４Ｒ５Ｒ６Ｓｉ−Ｇ−ＮＲ７−（ＣＯ）（ＣＯ）−｛−［−ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ−
［−Ｒ３Ｎ−Ｚ−ＮＲ３（ＣＯ）（ＣＯ）−］ｑ−｝ｒ−ＮＲ７−Ｇ−ＳｉＲ４Ｒ５Ｒ６
（式中、各Ｒ１は独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
各Ｒ３は水素又はアルキル、あるいはＲ３は結合しているＺ及び窒素と合わせて複素環基を形成し；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｑは０以上の整数であり；並びに
ｒは１以上の整数である）を含む反応性化合物。
【請求項２】
ポリマーであって、
次式：
Ｒ４Ｒ５Ｒ６Ｓｉ−Ｇ−ＮＲ７−（ＣＯ）（ＣＯ）−｛−［−ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ−
［−Ｒ３Ｎ−Ｚ−ＮＲ３（ＣＯ）（ＣＯ）−］ｑ−｝ｒ−ＮＲ７−Ｇ−ＳｉＲ４Ｒ５Ｒ６
（式中、各Ｒ１は、独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
各Ｒ３は水素又はアルキル、あるいはＲ３は結合しているＺ及び窒素と合わせて複素環基を形成し；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｑは０以上の整数であり；並びに
ｒは１以上の整数である）の反応性化合物と、
水と、を含む反応混合物の反応生成物を含む、ポリマー。
【請求項３】
物品であって、
基材と、
前記基材上のポリマー層と、を含み、前記ポリマーが、
次式：
Ｒ４Ｒ５Ｒ６Ｓｉ−Ｇ−ＮＲ７−（ＣＯ）（ＣＯ）−｛−［−ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ−
［−Ｒ３Ｎ−Ｚ−ＮＲ３（ＣＯ）（ＣＯ）−］ｑ−｝ｒ−ＮＲ７−Ｇ−ＳｉＲ４Ｒ５Ｒ６
（式中、各Ｒ１は独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
各Ｒ３は水素又はアルキル、あるいはＲ３は結合しているＺ及び窒素と合わせて複素環基を形成し；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｑは０以上の整数であり；並びに
ｒは１以上の整数である）の反応性化合物と、
水、とを含む反応混合物の反応生成物を含む、物品。